(57)【要約】    【課題】  係合突起の大きさの自由度を向上し、缶に確実に取り付けることのできる容器を提供する。    【解決手段】  缶に取付ける台座部と、台座部に取付ける蓋部とを有し、前記台座部と前記蓋部との間に物を収容する。前記台座部は、前記缶に係合する第１係合突起と、前記蓋部に係合する第２係合突起と、前記缶に対して係合する方向に形成された第１穴及び第２穴と、を有している。前記第１係合突起は、前記第１穴からみて前記台座部が前記缶に係合する方向へずれた位置に形成され、前記第２係合突起は、前記第２穴からみて前記台座部が前記缶から離れる方向へずれた位置に形成されている。【選択図】  図１
2005247346.tif 000002
【特許請求の範囲】
【請求項１】
缶に取付ける台座部と、台座部に取付ける蓋部とを有し、前記台座部と前記蓋部との間に物を収容する容器であって、
前記台座部は、前記缶に係合する第１係合突起と、前記蓋部に係合する第２係合突起と、前記缶に対して係合する方向に形成された第１穴及び第２穴と、を有し、
前記第１係合突起は、前記第１穴からみて前記台座部が前記缶に係合する方向へずれた位置に形成され、
前記第２係合突起は、前記第２穴からみて前記台座部が前記缶から離れる方向へずれた位置に形成された、容器。
【請求項２】
請求項１において、
前記台座部は、大径部と小径部とを有し、前記第１係合突起は前記大径部の内面に、前記第２係合突起は前記小径部の外面に形成され、前記第１穴及び前記第２穴は前記大径部と前記小径部との接続部に形成された、容器。
【請求項３】
請求項２において、
前記第１穴及び前記第２穴は、互いに同一円周上の位置に形成された、容器。
【発明の詳細な説明】
【技術分野】
【０００１】
本発明は飲料などの缶に取付ける容器であって、飲料の販促品乃至景品を収容する容器に関する。
【背景技術】
【０００２】
飲料などの缶に販促品乃至景品を取付けて販売することは既に知られている。例えば特開２００３−２６７３８４号公報は、缶飲料の自動販売機で景品つきの飲料を販売できるように、飲料缶本体と同径のケース体を着脱自在に取付けた状態で、缶飲料用自動販売機で販売可能な大きさと形状にすることを開示している。このケース体は、飲料缶に係止する台座に嵌合するようになっている。
【特許文献１】特開２００３−２６７３８４号公報
【発明の開示】
【発明が解決しようとする課題】
【０００３】
上記特開２００３−２６７３８４号公報に開示された容器において、缶に対する台座の係止、および台座に対するケース体の嵌合のためには、係止するための突起を設ける必要がある。特に缶に対する台座の係止のためには、缶が弾性変形しにくいことから、充分な大きさの係止突起を台座に設ける必要がある。
【０００４】
しかしながら、あまりに係止突起が大きすぎる場合には、台座の成型に用いる金型を、台座成型後に台座から外すことが困難となる。特に台座には缶と係止するための係止突起とケース体と係止するための係止突起が必要であるから、２種類の係止突起を同時に形成して金型を外さなければならず、充分な大きさの係止突起を形成することが困難であった。
【０００５】
また、係止突起の大きさに限界があるため、飲料メーカー等によって数分の１ミリ単位で微妙に異なる缶に適宜対応して金型を設計するためには、台座の外形寸法そのものを微調整する必要があった。
【０００６】
本発明は、係合突起の大きさの自由度を向上し、缶に確実に取り付けることのできる容器を提供することを目的とする。
【課題を解決するための手段】
【０００７】
上記目的を達成するため、本発明の容器は、缶に取付ける台座部と、台座部に取付ける蓋部とを有し、前記台座部と前記蓋部との間に物を収容する容器であって、前記台座部は、前記缶に係合する第１係合突起と、前記蓋部に係合する第２係合突起と、前記缶に対して係合する方向に形成された第１穴及び第２穴と、を有している。そして、前記第１係合突起は、前記第１穴からみて前記台座部が前記缶に係合する方向へずれた位置に形成され、前記第２係合突起は、前記第２穴からみて前記台座部が前記缶から離れる方向へずれた位置に形成されている。
【０００８】
これにより、第１係合突起及び第２係合突起の大きさの自由度を向上し、缶に確実に取付けることができる。
【０００９】
上記容器において、前記台座部は、大径部と小径部とを有し、前記第１係合突起は前記大径部の内面に、前記第２係合突起は前記小径部の外面に形成され、前記第１穴及び前記第２穴は前記大径部と前記小径部との接続部に形成されることが望ましい。これにより、缶に対する台座部の係合と台座部に対する蓋部の係合がいずれも外から嵌められるので、係脱しやすくすることができる。
【００１０】
上記容器において、前記第１穴及び前記第２穴は、互いに同一円周上の位置に形成されることが望ましい。これにより、缶の径と蓋部の径をほぼ同じにすることができる。
【発明を実施するための最良の形態】
【００１１】
＜１．容器の構成＞
図１は、本発明の実施形態に係る容器の各部の斜視図である。この容器は、缶に係合する台座部５と、台座部に係合する蓋部６とを有している。ここでは図示上方をＺ方向、各部材の中心軸（Ｚ軸）から離れる方向をＸ方向、Ｚ軸の周りに回転する方向をθ方向と定義して説明する。
【００１２】
＜１−１．台座部５＞
台座部５は、図示下方（缶に係合する側）から図示上方（Ｚ方向）に向かって、第１円筒部５１、接続部５３、第２円筒部５２、平板部５４が一体に形成された形状になっている。第１円筒部５１も第２円筒部５２も、径方向（Ｘ方向）の長さに比して軸方向（Ｚ方向）の長さが短く、かつ第２円筒部５２の軸方向一端は平板部５４で閉じられているので、台座部５は全体として略円盤状をなしている。第２円筒部５２は、第１円筒部５１より小径になっている。
【００１３】
第１円筒部５１の内側には、飲料缶の上部口金と係合する後述の第１係合突起が形成されている。接続部５３には、第１穴２１と第２穴２２とがそれぞれ複数開けられている。第２円筒部５２の外側には、蓋部６と係合する第２係合突起１２が複数形成されている。第２係合突起１２は、第２穴２２に対応する位置に形成されている。
【００１４】
台座部５の平板部５４には、収容物を係止するための係止突起３０が形成されている。この係止突起３０は、平板部５４から垂直（Ｚ方向）に突出した縦棒部３１と、縦棒部３１の端部から平板部５４に平行（Ｘ方向）に設けられた横棒部３２と、を備えている。平板部５４には、横棒部３２の両端に対応する位置に穴３３が開けられている。
【００１５】
この係止突起３０に収容物を係止するためには、例えば収容物の下面に、横棒部３２のような形状の入口を有し内部を広くした穴（図示しない）を形成する。その穴（図示しない）に横棒部３２を挿入し、縦棒部３１（Ｚ軸）を軸として直角（θ方向）に回転させることで、横棒部３２を穴の入口に引掛け、収容物を係止突起３０に係止することができる。
【００１６】
＜１−２．台座部５の平面及び断面＞
図２は、上記容器の台座部５の平面図（Ａ）、そのＢ−Ｂ’断面図（Ｂ）及びＣ−Ｚ−Ｃ’に沿った切断面図（Ｃ）である。図２（Ａ）の平面図では、紙面の奥行き方向が飲料缶に対する係合方向（−Ｚ方向）である。図２（Ａ）に示すように、接続部５３には、飲料缶に対する係合方向に第１穴２１及び第２穴２２が形成されている。第１穴２１及び第２穴２２は、それぞれ４つずつ形成されている。
【００１７】
そして、第１穴に対応する位置（Ｘ、θが同一の位置）に、特に第１穴からみて飲料缶に係合する方向（−Ｚ方向）へずれた位置に、飲料缶と係合する第１係合突起１１が形成されている。図２（Ｂ）には、４つの第１係合突起１１のうち３つが示されている。
【００１８】
また、第２穴に対応する位置（Ｘ、θが同一の位置）に、特に第２穴からみて飲料缶から離れる方向（Ｚ方向）へずれた位置に、蓋部６と係合する第２係合突起１２が形成されている。図２（Ｃ）のＣ’側切断面にも、第２係合突起１２が示されている。なお、図２（Ｃ）のＣ側切断面等に示すように、第１穴や第２穴に対応しない位置には、係合突起は設けられていない。
【００１９】
第１穴２１及び第２穴２２は、Ｘ方向又はθ方向へ互いにずれた位置に形成する。従って、第１係合突起１１及び第２係合突起は、Ｘ方向又はθ方向へ互いにずれた位置に形成することになる。本実施形態では、θ方向へ互いにずれた位置に形成されている。
【００２０】
＜１−３．蓋部６＞
図１に戻って、蓋部６は、円筒部６１とその一端を閉じる平板部６４とを備えている。円筒部６１の内面には、台座部５の第２係合突起１２と係合する後述の第３係合突起が形成されている。なお、蓋部６の円筒部６１の外径は、係合する飲料缶とほぼ同じ外径であることが望ましい。
【００２１】
＜１−４．蓋部６の平面及び断面＞
図３は、上記容器の蓋部６の平面図（Ａ）及びそのＢ−Ｂ断面図（Ｂ）である。図３（Ｂ）に、台座部５の第２係合突起１２と係合する第３係合突起６２が示されている。この第３係合突起６２は、円筒部６１の開放端側（−Ｚ側）に、円筒部６１の内側全周にわたって形成されている。蓋部６には、台座部５の第１穴２１や第２穴２２のような穴を開けていないが、同様の穴を平板部６４に開けても構わない。
【００２２】
＜１−５．組立状態＞
図４は、上記容器の台座部５と蓋部６の組立断面図である。図４には飲料缶９０の口金に第１係合突起１１を係合させた状態を示している。台座部５の平板部５４と、蓋部６とに囲まれる空間が、この容器の収容部となる。
【００２３】
本実施形態では第１円筒部５１の内面に第１係合突起を、第２円筒部５２の外面に第２係合突起１２を設けたので、飲料缶９０に対する台座部５の係合も、台座部５に対する蓋部６の係合も、ともに外側から被せることになり、係脱しやすいという利点がある。また、第１円筒部５１を大径とし、第２円筒部５２を小径としたので、蓋部６を飲料缶９０と同径或いは飲料缶９０より小径とすることができる。
【００２４】
また本実施形態では第１穴と第２穴を同一円周上（Ｘ方向及びＺ方向が同じでθ方向にのみ互いにずれた位置）に設けたので、蓋部６を飲料缶９０とほぼ同径とすることができる。
【００２５】
＜２．金型の構成＞
＜２−１．蓋部６の金型＞
図５は、上記容器の蓋部６を成型するための金型の概略断面図である。蓋部６を成型するための金型は、円筒部６１の開放端側（台座部５に係合する第３係合突起６２側）端部を境として２つのパーツ６５、６８から成っているが、開放端側のパーツ６５には、円筒部６１内の形状を決定する突起部６６が必要である。
【００２６】
この金型６５、６８を用いて蓋部６を成型し、金型から蓋部６を取り出すためには、蓋部６の第３係合突起６２を乗り越えて金型の突起部６６を引抜く必要があるので、第３係合突起をあまり大きくすることはできない。しかし、蓋部６の場合は第３係合突起６２しかないので、第３係合突起６２の大きさをあまり大きくしなければ、引抜きは充分可能である。
【００２７】
＜２−２．台座部５の金型＞
図６は、上記容器の台座部５を成型するための金型の概略断面図である。図示左側は特に第１係合突起１１の断面が現れるように切断面を選んでおり、図示右側は特に第２係合突起１２の断面が現れるように切断面を選んでいる。台座部５を成型するための金型は、第１円筒部５１の開放端側（飲料缶に係合する第１係合突起１１側）端部を境として２つのパーツ５５、５８から成っている。開放端側のパーツ５５には、第１円筒部５１内から第２円筒部５２内に至る突起部５６が設けられている。
【００２８】
本実施形態の台座部５の大きな特徴は、金型５５、５８を用いて台座部５を成型し、金型から台座部５を取出すために、台座部５の第１係合突起１１や第２係合突起１２を乗り越えて金型を引抜く必要がない点にある。すなわち、台座部５の第１係合突起１１は第１穴２１に対応する位置に設けられ、第２係合突起１２は第２穴２２に対応する位置に設けられている。
【００２９】
従って、第１係合突起１１は、第１係合突起１１側の金型５５の形状によって形成する必要がなく、反対側の金型５８の突起部５９によって形成することが可能である。金型５８の突起部５９は、第１穴２１を通って第１係合突起１１の形成位置に達することができるので、金型から台座部５を取出す際に、第１係合突起１１の大きさに関わらず第１係合突起１１は障害にならない。
【００３０】
同様に、第２係合突起１２は、第２係合突起１２側の金型５８の形状によって形成する必要がなく、第１係合突起１１側の金型５５の突起部５７によって形成することが可能である。金型５５の突起部５７は、第２穴２２を通って第２係合突起１２の形成位置に達することができるので、金型から台座部５を取出す際に、第２係合突起１２の大きさに関わらず第２係合突起１２は障害にならない。
【００３１】
＜３．本実施形態の効果＞
この容器は、飲料の販促品乃至景品を収容して飲料缶の口金に係合させることで、飲料の販促品乃至景品を飲料とともに提供することができる。この容器は第１係合突起１１及び第２係合突起１２の大きさを充分にとることができるので、飲料缶にしっかり係合することができ、飲料の自動販売機内で意図せずに容器が外れる可能性は低い。一方、第１穴２１及び第２穴２２が設けられているので第１円筒部５１は弾性に優れ、意図的に係合を外そうと思えば容易に外すことができる。
【００３２】
更に、第１係合突起の大きさの自由度が高まる。このため、係合すべき飲料缶の口金の大きさがメーカーごとに微妙に異なる場合に、台座部の外形寸法から設計し直さなくても、第１係合突起の大きさを任意に設計できる。従って、缶にぴったり嵌まる容器を容易に設計することができる。
【００３３】
また、容器の収容部は台座部５の平板部５４によって飲料缶とは隔離されているので、収容物が飲料缶に触れることがなく、清潔感に優れている。更に、容器を飲料缶から外した状態においては、台座部５上に販促品等を載せたまま販促品のディスプレイ台として用いてもよいし、蓋部６をかぶせて収容ケースとして使っても良い。
【００３４】
＜４．変形例＞
以上好ましい実施形態を説明したが、本発明は以上説明した形状のものに限定されるものではない。例えば上記実施形態では第２円筒部５２の外面に第２係合突起１２を形成したが、これに限らず第２円筒部５２の内面に蓋部６との係合のための第２係合突起１２を形成してもよい。この場合は蓋部６の円筒部６１の外面に第３係合突起６２を形成する。
【００３５】
また、上記実施形態では第１穴と第２穴は別々の穴として形成したが、これに限らず第１穴と第２穴との間に一部繋がる部分があってもよい。
【００３６】
また、上記実施形態では第１円筒部５１の内面には第１係合突起１１しか形成しなかったが、これに限らず第１係合突起１１以外にも（第１穴２１に対応する部分以外にも）、缶の口金と係合する突起を設けてもよい。但しこの場合でも、係合突起の大きさの自由度が高いのは第１穴２１に対応する位置に形成された第１係合突起１１だけである。
【００３７】
また、上記実施形態では飲料缶９０に係合する容器として説明したが、飲料缶に限らず他の種類の缶でもよい。
【図面の簡単な説明】
【００３８】
【図１】本発明の実施形態に係る容器の各部の斜視図である。
【図２】上記容器の台座部５の平面図（Ａ）、そのＢ−Ｂ’断面図（Ｂ）及びＣ−Ｚ−Ｃ’に沿った切断面図（Ｃ）である。
【図３】上記容器の蓋部６の平面図（Ａ）及びそのＢ−Ｂ断面図（Ｂ）である。
【図４】上記容器の台座部５と蓋部６の組立断面図である。
【図５】上記容器の蓋部６を成型するための金型の概略断面図である。
【図６】上記容器の台座部５を成型するための金型の概略断面図である。
【符号の説明】
【００３９】
１１  第１係合突起、１２  第２係合突起、２１  第１穴、２２  第２穴、５  台座部、５１  第１円筒部（大径部）、５２  第２円筒部（小径部）、５３  接続部、６  蓋部、９０  飲料缶（缶）
【図１】
2005247346.tif 000003
【図２】
2005247346.tif 000004
【図３】
2005247346.tif 000005
【図４】
2005247346.tif 000006
【図５】
2005247346.tif 000007
【図６】
2005247346.tif 000008